(57)【要約】【課題】様々な環境下において安定した光学性能を実現する対物レンズを提供する。【解決手段】対物レンズ１０は、外筒１１と、外筒１１内に配置された複数のレンズ部組と、外筒１１に固定された押さえ環１４と、複数のレンズ部組を光軸方向に付勢する弾性部材１５を備える。複数のレンズ部組の各々は、少なくともレンズとレンズ保持枠を含む。押さえ環１４は、光軸方向に沿って複数のレンズ部組を外筒１１に押し付ける。弾性部材１５は、押さえ環１４が複数のレンズ部組に加えた押圧力により複数のレンズ部組が外筒１１内に固定されているときに生じている外筒１１内の隙間に配置される。【選択図】図１
2019028412.tif 000002
【特許請求の範囲】
【請求項１】
対物レンズであって、
外筒と、
前記外筒内に配置された複数のレンズ部組であって、前記複数のレンズ部組の各々は少なくともレンズとレンズ保持枠を含む、前記複数のレンズ部組と、
前記外筒に固定された押さえ部材であって、前記対物レンズの光軸方向に沿って前記複数のレンズ部組を前記外筒に押し付ける前記押さえ部材と、
前記押さえ部材が前記複数のレンズ部組に加えた押圧力により前記複数のレンズ部組が前記外筒内に固定されているときに生じている前記外筒内の隙間に配置された弾性部材であって、前記複数のレンズ部組を前記光軸方向に付勢する前記弾性部材と、を備える
ことを特徴とする対物レンズ。
【請求項２】
請求項１に記載の対物レンズにおいて、
前記弾性部材は、前記複数のレンズ部組に含まれる第１のレンズ部組と前記押さえ部材の間に配置されている
ことを特徴とする対物レンズ。
【請求項３】
請求項２に記載の対物レンズにおいて、
前記押さえ部材は、
前記第１のレンズ部組に接する第１面と、
前記第１面に対して前記光軸方向に凹んだ第２面と、有し、
前記弾性部材は、前記第１のレンズ部組と前記第２面との間に配置されている
ことを特徴とする対物レンズ。
【請求項４】
請求項２又は請求項３に記載の対物レンズにおいて、さらに、
前記第１のレンズ部組と前記押さえ部材の少なくとも一方と前記弾性部材との間に配置された、少なくとも１つのスペーサを備える
ことを特徴とする対物レンズ。
【請求項５】
請求項１に記載の対物レンズにおいて、
前記弾性部材は、前記複数のレンズ部組に含まれる第１のレンズ部組と前記外筒の間に配置されている
ことを特徴とする対物レンズ。
【請求項６】
請求項５に記載の対物レンズにおいて、
前記外筒は、
前記第１のレンズ部組に接する第１面と、
前記第１面に対して前記光軸方向に凹んだ第２面と、有し、
前記弾性部材は、前記第１のレンズ部組と前記第２面との間に配置されている
ことを特徴とする対物レンズ。
【請求項７】
請求項１に記載の対物レンズにおいて、
前記弾性部材は、前記複数のレンズ部組に含まれる第１のレンズ部組と前記複数のレンズ部組に含まれる第２のレンズ部組の間に配置されている
ことを特徴とする対物レンズ。
【請求項８】
請求項７に記載の対物レンズにおいて、
前記第２のレンズ部組は、
前記第１のレンズ部組に接する第１面と、
前記第１面に対して前記光軸方向に凹んだ第２面と、有し、
前記弾性部材は、前記第１のレンズ部組と前記第２面との間に配置されている
ことを特徴とする対物レンズ。
【発明の詳細な説明】
【技術分野】
【０００１】
本明細書の開示は、対物レンズに関する。
【背景技術】
【０００２】
顕微鏡用の対物レンズでは、所望の光学性能を実現するため、レンズ部組は高い位置精度で位置決めされる。これは、レンズ部組のわずかな変位でさえ光学性能に影響を及ぼすからである。
【０００３】
例えば、特許文献１に記載される顕微鏡用の対物レンズでは、対物レンズの外筒内に複数のレンズ部組を積層後に押さえ環と呼ばれる回転固定枠を外筒に螺合することにより、複数のレンズ部組が外筒内で固定されている。
【先行技術文献】
【特許文献】
【０００４】
【特許文献１】特許第５１２３６２５号明細書
【発明の概要】
【発明が解決しようとする課題】
【０００５】
ところで、対物レンズは、様々な環境下に置かれる可能性がある。例えば、工場での組み立て後、寒冷地に出荷されるかもしれない。この場合、搬送中のトラックや飛行機内は、常温よりも低いかもしれない。対物レンズが置かれる温度環境に変化が生じると、温度変化に起因する膨張・収縮が対物レンズ内で生じることがあり、その結果、組み立て時に回転固定枠により固定された複数のレンズ部組が外筒内で変位してしまうことがある。
【０００６】
従って、従来の対物レンズは、様々な温度環境下や輸送環境下等において安定した光学性能を発揮することが難しい。
【０００７】
以上のような実情を踏まえ、本発明の一側面に係る目的は、様々な環境下において安定した光学性能を実現する対物レンズを提供することである。
【課題を解決するための手段】
【０００８】
本発明の一態様に係る対物レンズは、外筒と、前記外筒内に配置された複数のレンズ部組であって、前記複数のレンズ部組の各々は少なくともレンズとレンズ保持枠を含む、前記複数のレンズ部組と、前記外筒に固定された押さえ部材であって、前記対物レンズの光軸方向に沿って前記複数のレンズ部組を前記外筒に押し付ける前記押さえ部材と、前記押さえ部材が前記複数のレンズ部組に加えた押圧力により前記複数のレンズ部組が前記外筒内に固定されているときに生じている前記外筒内の隙間に配置された弾性部材であって、前記複数のレンズ部組を前記光軸方向に付勢する前記弾性部材と、を備える。
【発明の効果】
【０００９】
上記の態様によれば、様々な環境下において安定した光学性能を実現する対物レンズを提供することができる。
【図面の簡単な説明】
【００１０】
【図１】実施例１に係る対物レンズ１０の断面図である。
【図２】実施例２に係る対物レンズ２０の断面図である。
【図３】実施例３に係る対物レンズ３０の断面図である。
【図４】実施例４に係る対物レンズ４０の断面図である。
【発明を実施するための形態】
【００１１】
＜実施例１＞
図１は、本実施例に係る対物レンズ１０の断面図であり、光軸ＡＸに沿った面における対物レンズ１０の断面を示している。図１に示される対物レンズ１０は、顕微鏡用の対物レンズであり、例えば、結像レンズと組み合わせて試料の拡大像を作る無限遠補正型の対物レンズである。
【００１２】
対物レンズ１０は、外筒１１と、外筒１１の軸方向に沿って外筒１１内に配置された複数のレンズ部組（レンズ部組１３ａ、レンズ部組１３ｂ、レンズ部組１３ｃ、レンズ部組１３ｄ、レンズ部組１３ｅ、レンズ部組１３ｆ）を備えている。対物レンズ１０は、さらに、外筒１１に固定された押さえ環１４と、複数のレンズ部組を付勢する弾性部材１５とを備える。
【００１３】
各レンズ部組は、レンズ（レンズＬ１、レンズＬ２、レンズＬ３、レンズＬ４、レンズＬ５、レンズＬ６）とレンズを固定するレンズ保持枠（レンズ保持枠１２ａ、レンズ保持枠１２ｂ、レンズ保持枠１２ｃ、レンズ保持枠１２ｄ、レンズ保持枠１２ｅ、レンズ保持枠１２ｆ）を含む。レンズの部材は、例えば、光学ガラスである。レンズ保持枠の材料は、例えば、真鍮である。レンズとレンズ保持枠は、例えば、接着剤によって互いに固定される。なお、各レンズ部組に含まれるレンズは、例えばレンズＬ１のような単レンズであってもよく、例えばレンズＬ２のような接合レンズであってもよい。
【００１４】
外筒１１は、円筒形状を有する筒状部材であり、内部に複数のレンズ部組を収容する。外筒１１の軸方向とは、円筒の中心軸に沿った方向のことであり、対物レンズ１０の光軸方向と近似している。外筒１１の材料は、例えば、真鍮である。
【００１５】
外筒１１は、支持部１１ａと、貫通穴１１ｂと、ねじ山１１ｃと、ねじ山１１ｄを有している。複数のレンズ部組は、外筒１１内において外筒１１の軸方向に積層して配置されている。
【００１６】
外筒１１内で最も物体側に置かれたレンズ部組１３ａは、所定の内径を有する外筒１１の内壁面から突出するように形成された支持部１１ａにより支持されている。なお、支持部１１ａは内壁面の軸方向についての一方の端部に形成されている。
【００１７】
貫通穴１１ｂは、外筒１１の軸方向と直交する方向に沿って形成されている。貫通穴１１ｂは、対物レンズ１０の光学性能の調整を行うために設けられている。光学性能の調整は、貫通穴１１ｂに挿入した治具でレンズ部組１３ｂを押圧し、レンズ部組１３ｂの径方向の位置を微調整することにより、行われる。治具は、例えば、貫通穴１１ｂに通すことができる細い棒である。外筒１１の内径とレンズ部組（レンズ保持枠）の外径には数ミクロンから数１０ミクロン程度の差がある。この差の範囲内でレンズ部組１３ｂの位置が調整されることで、対物レンズ１０の光学性能が目標とする仕様の範囲内に調整される。
【００１８】
支持部１１ａが形成された内壁面の最も物体側の端部とは反対側の端部、即ち、内壁面の最も像側の端部には、ねじ山１１ｃが形成されている。ねじ山１１ｃに回転固定枠である押さえ環１４が螺合することで、複数のレンズ部組は対物レンズ１０の光軸方向に沿って外筒１１の支持部１１ａに押し付けられる。これにより、複数のレンズ部組は、支持部１１ａと押さえ環１４により狭持される。
【００１９】
外筒１１の外面には、ねじ山１１ｄに形成されている。ねじ山１１ｄは、対物レンズ１０を顕微鏡に接続するための接続部であり、ねじ山１１ｄが顕微鏡のレボルバ等に螺合することで、対物レンズ１０は、顕微鏡に固定される。
【００２０】
押さえ環１４は、外筒１１に固定される押さえ部材である。押さえ環１４の材料は、例えば、真鍮である。押さえ環１４は、ねじ山１１ｃに螺合することで、外筒１１内の複数のレンズ部組を光軸方向に沿って外筒１１（支持部１１ａ）に押し付ける。より具体的には、押さえ環１４は、レンズ部組１３ｆに接する第１面である面Ｓ１１と、面Ｓ１１に対して光軸方向に凹んだ第２面である面Ｓ１２を有している。押さえ環１４がねじ山１１ｃに螺合し光軸方向に移動することで、面Ｓ１２に対して光軸方向に突出した面Ｓ１１がレンズ保持枠１２ｆに接触し、レンズ保持枠１２ｆを光軸方向に押圧する。これにより、押さえ環１４と外筒１１（支持部１１ａ）が外筒１１内に積層された複数のレンズ部組を狭持する。
【００２１】
弾性部材１５は、複数のレンズ部組を対物レンズ１０の光軸方向に付勢する弾性体であり、例えば、波ワッシャー、皿ばねなどである。弾性部材１５の材料は、例えば、鋼である。弾性部材１５は、押さえ環１４が複数のレンズ部組に加えた押圧力により複数のレンズ部組が外筒１１内に固定されているときに生じている外筒１１内の隙間に、自然長よりも縮んだ状態で置かれている。弾性部材１５は、詳細には、押さえ環１４に接している第１のレンズ部組であるレンズ部組１３ｆと押さえ環１４の間に、より詳細には、レンズ部組１３ｆと押さえ環１４の面Ｓ１２の間に、配置されている。
【００２２】
以上のように構成された対物レンズ１０では、複数のレンズ部組は、押さえ環１４が外筒１１に螺合することで、押さえ環１４と外筒１１の間に狭持されるとともに、弾性部材１５によっても光軸方向に付勢される。これにより、複数のレンズ部組を外筒１１内にしっかりと固定することができる。より詳細に説明すると、以下のとおりである。
【００２３】
対物レンズ１０は、押さえ環１４の押圧力を用いて複数のレンズ部組を押さえ環１４と外筒１１の間で狭持している。このため、例えば、落下や衝突によって対物レンズ１０に衝撃が加わり、レンズ部組に光軸方向や径方向の外力が加わっても、外筒１１内に配置されたレンズ部組を変位させることなく所定の位置に保持することができる。また、搬送中に対物レンズ１０に振動が加わっても、外力によるレンズ部組の変位を抑えることができる。従って、対物レンズ１０によれば、衝撃や振動によりレンズ部組に外力が加わってもレンズ部組の変位を十分に抑制することができるため、高い光学性能を維持することができる。特に、レンズの偏心に起因する光学性能の劣化を抑えることができる。
【００２４】
また、対物レンズ１０は、自然長よりも縮んだ状態で外筒１１内に配置された弾性部材１５により、複数のレンズ部組を光軸方向に付勢している。例えば、周囲の温度環境の変化に起因する膨張又は収縮が対物レンズ１０に生じ、押さえ環１４が複数のレンズ部組を光軸方向に押し付ける押圧力が消失又は減少してしまったとする。そのような場合であっても、弾性部材１５が複数のレンズ部組を光軸方向に引き続き付勢し続けているため、弾性部材１５によって複数のレンズ部組を外筒１１内の所定位置に保持することができる。従って、対物レンズ１０によれば、様々な温度環境下において安定した光学性能を実現することができる。特に、光軸方向の位置ずれに起因する球面収差の発生を抑えることができる。
【００２５】
これに対して、従来の対物レンズのように押さえ環の押圧力だけで複数のレンズ部組を固定している場合には、温度環境の変化に起因して押さえ環の押圧力が消失又は減少すると、レンズ部組が外筒１１内で変位してしまう。このため、様々な温度環境下において安定した光学性能を実現することができない。
【００２６】
また、対物レンズ内に押さえ環の押圧力を弾性部材だけで伝達している箇所がある場合、つまり、弾性部材を取り除くと複数のレンズ部組が押さえ環と外筒に狭持されない場合には、対物レンズに衝撃や振動による外力（特に、径方向の外力）が加わると、レンズ部組が変位してしまう。このため、高い光学性能を維持することができない。
【００２７】
以上のように、対物レンズ１０によれば、衝撃や振動に強い耐性を有し、且つ、温度変化に強い耐性を実現し、安定して高い光学性能を発揮することができる。
【００２８】
＜実施例２＞
図２は、本実施例に係る対物レンズ２０の断面図であり、光軸ＡＸに沿った面における対物レンズ２０の断面を示している。図２に示される対物レンズ２０は、顕微鏡用の対物レンズであり、例えば、結像レンズと組み合わせて試料の拡大像を作る無限遠補正型の対物レンズである。
【００２９】
対物レンズ２０は、外筒１１と、外筒１１の軸方向に沿って外筒１１内に配置された複数のレンズ部組（レンズ部組１３ａ、レンズ部組１３ｂ、レンズ部組１３ｃ、レンズ部組１３ｄ、レンズ部組１３ｅ、レンズ部組１３ｆ）と、外筒１１に固定された押さえ環１４と、複数のレンズ部組を付勢する弾性部材１５と、を備えている。これらの点については、実施例１に係る対物レンズ１０と同様である。対物レンズ２０は、さらに、スペーサ２７を備える点が、実施例１に係る対物レンズ１０とは異なっている。
【００３０】
スペーサ２７は、円環状の平板であり、スペーサ２７の材料は、例えば、リン青銅、ステンレス鋼材（ＳＵＳ）などである。スペーサ２７は、弾性部材１５に隣接するように配置される。より具体的には、スペーサ２７は、第１のレンズ部組であるレンズ部組１３ｆと押さえ環１４の面Ｓ１２の間に、配置される。
【００３１】
なお、図２では、スペーサ２７は、レンズ保持枠１２ｆと弾性部材１５の間に配置されているが、弾性部材１５と押さえ環１４の間に配置されてもよい。また、レンズ保持枠１２ｆと弾性部材１５の間と弾性部材１５と押さえ環１４の間にそれぞれスペーサ２７が配置されても良い。即ち、対物レンズ２０は、レンズ部組１３ｆ（レンズ保持枠１２ｆ）と押さえ環１４の少なくとも一方と弾性部材１５との間に配置された、少なくとも１つのスペーサを備えればよい。
【００３２】
以上のように構成された対物レンズ２０では、複数のレンズ部組は、押さえ環１４が外筒１１に螺合することで、押さえ環１４と外筒１１の間に狭持されるとともに、弾性部材１５によっても光軸方向に付勢される。これにより、複数のレンズ部組を外筒１１内にしっかりと固定することができる。従って、対物レンズ２０によれば、対物レンズ１０と同様に、衝撃や振動に強い耐性を有し、且つ、温度変化に強い耐性を実現し、安定して高い光学性能を発揮することができる。
【００３３】
また、対物レンズ２０では、スペーサ２７がレンズ保持枠１２ｆと弾性部材１５の間に配置されている。これにより、押さえ環１４の螺合時に押さえ環１４とともに回転する弾性部材１５によって他の部材が磨耗してしまうことを防ぐことができる。
【００３４】
より詳細に説明すると、押さえ環１４に隣接している弾性部材１５は、押さえ環１４を螺合するときに押さえ環１４とともに回転する。波ワッシャー、皿ばねなどである弾性部材１５は、他の部材とは面で接触していない。弾性部材１５は、他の部材と点又は線で接触しているため、スペーサ２７が無い場合であれば、弾性部材１５と接触するレンズ保持枠１２ｆに大きな摩擦力が加わり、レンズ保持枠１２ｆが磨耗し傷が付いてしまう。これに対して、円環状の平板であるスペーサ２７をレンズ保持枠１２ｆと弾性部材１５の間に設けることで、押さえ環１４とともに弾性部材１５とスペーサ２７が回転する。スペーサ２７とレンズ保持枠１２ｆは面で接触しているため、レンズ保持枠１２ｆに摩擦力が加わってもレンズ保持枠１２ｆが大きく磨耗する事がない。また、スペーサ２７を弾性部材１５と押さえ環１４の間に設けた場合には、押さえ環１４が弾性部材１５によって磨耗することを防ぐことができる。
【００３５】
＜実施例３＞
図３は、本実施例に係る対物レンズ３０の断面図であり、光軸ＡＸに沿った面における対物レンズ３０の断面を示している。図３に示される対物レンズ３０は、顕微鏡用の対物レンズであり、例えば、結像レンズと組み合わせて試料の拡大像を作る無限遠補正型の対物レンズである。
【００３６】
対物レンズ３０は、外筒３１と、外筒３１の軸方向に沿って外筒３１内に配置された複数のレンズ部組（レンズ部組１３ａ、レンズ部組１３ｂ、レンズ部組１３ｃ、レンズ部組１３ｄ、レンズ部組１３ｅ、レンズ部組１３ｆ）を備えている。対物レンズ３０は、さらに、外筒３１に固定された押さえ環３４と、複数のレンズ部組を付勢する弾性部材３５と、を備える。
【００３７】
外筒３１は、円筒形状を有する筒状部材であり、内部に複数のレンズ部組を収容する。外筒３１の材料は、例えば、真鍮である。
【００３８】
外筒３１は、支持部３１ａと、貫通穴３１ｂと、ねじ山３１ｃと、ねじ山３１ｄを有している。複数のレンズ部組は、外筒３１内において外筒３１の軸方向に積層して配置されている。
【００３９】
外筒３１内で最も像側に置かれたレンズ部組１３ｆは、所定の内径を有する外筒３１の内壁面から突出するように形成された支持部３１ａにより支持されている。外筒３１の支持部３１ａは、レンズ部組１３ｆに接する第１面である面Ｓ３１と、面Ｓ３１に対して光軸方向に凹んだ第２面である面Ｓ３２を有している。なお、支持部３１ａは内壁面の軸方向についての一方の端部に形成されている。
【００４０】
貫通穴３１ｂは、外筒３１の軸方向と直交する方向に沿って形成されている。貫通穴３１ｂは、対物レンズ３０の光学性能の調整を行うために設けられている。光学性能の調整は、貫通穴３１ｂに挿入した治具でレンズ部組１３ｂを押圧し、レンズ部組１３ｂの径方向の位置を微調整することにより、行われる。治具は、例えば、貫通穴３１ｂに通すことができる細い棒である。外筒３１の内径とレンズ部組（レンズ保持枠）の外径には数ミクロンから数１０ミクロン程度の差がある。この差の範囲内でレンズ部組１３ｂの位置が調整されることで、対物レンズ３０の光学性能が目標とする仕様の範囲内に調整される。
【００４１】
支持部３１ａが形成された内壁面の最も像側の端部とは反対側の端部、即ち、内壁面の最も物体側の端部には、ねじ山３１ｃが形成されている。ねじ山３１ｃに回転固定枠である押さえ環３４が螺合することで、複数のレンズ部組は対物レンズ３０の光軸方向に沿って外筒３１の支持部３１ａに押し付けられる。これにより、複数のレンズ部組は、支持部３１ａと押さえ環３４により狭持される。
【００４２】
外筒３１の外面には、ねじ山３１ｄに形成されている。ねじ山３１ｄは、対物レンズ３０を顕微鏡に接続するための接続部であり、ねじ山３１ｄが顕微鏡のレボルバ等に螺合することで、対物レンズ３０は、顕微鏡に固定される。
【００４３】
押さえ環３４は、外筒３１に固定される押さえ部材である。押さえ環３４の材料は、例えば、真鍮である。押さえ環３４は、ねじ山３１ｃに螺合することで、外筒３１内の複数のレンズ部組を光軸方向に沿って外筒３１（支持部３１ａ）に押し付ける。これにより、押さえ環３４と外筒３１（支持部３１ａ）が外筒３１内に積層された複数のレンズ部組を狭持する。
【００４４】
弾性部材３５は、複数のレンズ部組を対物レンズ３０の光軸方向に付勢する弾性体であり、例えば、波ワッシャー、皿ばねなどである。弾性部材３５の材料は、例えば、鋼である。弾性部材３５は、押さえ環３４が複数のレンズ部組に加えた押圧力により複数のレンズ部組が外筒３１内に固定されているときに生じている外筒３１内の隙間に、自然長よりも縮んだ状態で置かれている。弾性部材３５は、詳細には、支持部３１ａに接しているレンズ部組１３ｆと外筒３１（支持部３１ａ）の間に配置されている。より詳細には、レンズ部組１３ｆと外筒３１（支持部３１ａ）の面Ｓ３２の間に、配置されている。
【００４５】
以上のように構成された対物レンズ３０では、複数のレンズ部組は、押さえ環３４が外筒３１に螺合することで、押さえ環３４と外筒３１の間に狭持されるとともに、弾性部材３５によっても光軸方向に付勢される。これにより、複数のレンズ部組を外筒３１内にしっかりと固定することができる。従って、対物レンズ３０によれば、対物レンズ１０、対物レンズ２０と同様に、衝撃や振動に強い耐性を有し、且つ、温度変化に強い耐性を実現し、安定して高い光学性能を発揮することができる。
【００４６】
また、対物レンズ３０では、弾性部材３５が押さえ環３４とは離れた位置に置かれている。具体的には、弾性部材３５は、外筒３１の像側の端部に配置されていて、押さえ環３４は、外筒３１の物体側の端部に螺合される。このため、押さえ環３４を螺合するときに押さえ環３４とともに弾性部材３５が回転することがない。従って、弾性部材３５が回転してレンズ部組などの他の部材が磨耗してしまうことを防ぐことができる。
【００４７】
＜実施例４＞
図４は、本実施例に係る対物レンズ４０の断面図であり、光軸ＡＸに沿った面における対物レンズ４０の断面を示している。図４に示される対物レンズ４０は、顕微鏡用の対物レンズであり、例えば、結像レンズと組み合わせて試料の拡大像を作る無限遠補正型の対物レンズである。
【００４８】
対物レンズ４０は、レンズ部組１３ｃとレンズ部組１３ｄの代わりに、第１のレンズ部組であるレンズ部組４３ｃと第２のレンズ部組であるレンズ部組４３ｄを備える点、押さえ環１４の代わりに押さえ環４４を備える点、弾性部材１５の代わりに弾性部材４５を備える点が、実施例１に係る対物レンズ１０とは異なる。その他の構成は、対物レンズ１０と同様である。
【００４９】
レンズ部組４３ｃ及びレンズ部組４３ｄは、レンズ保持枠１２ｃ及びレンズ保持枠１２の代わりにレンズ保持枠４２ｃ及びレンズ保持枠４２ｄを備える点が、レンズ部組１３ｃ及びレンズ部組１３ｄとは異なる。レンズ部組４３ｄ（レンズ保持枠４２ｄ）は、レンズ部組４３ｃ（レンズ保持枠４２ｃ）に接する第１面である面Ｓ４１と、面Ｓ４１に対して光軸方向に凹んだ第２面である面Ｓ４２を有している。即ち、レンズ保持枠４２ｄは、レンズ保持枠１２ｄとは異なる形状を有している。
【００５０】
押さえ環４４は、外筒１１に固定される押さえ部材である。押さえ環４４の材料は、例えば、真鍮である。押さえ環４４は、ねじ山１１ｃに螺合することで、外筒１１内の複数のレンズ部組を光軸方向に沿って外筒１１（支持部１１ａ）に押し付ける。これらの点は、押さえ環１４と同様である。押さえ環４４は、押さえ環１４とは異なる形状を有している。
【００５１】
弾性部材４５は、複数のレンズ部組を対物レンズ４０の光軸方向に付勢する弾性体であり、例えば、波ワッシャー、皿ばねなどである。弾性部材４５の材料は、例えば、鋼である。これらの点は、弾性部材１５と同様である。また、弾性部材４５は、押さえ環４４が複数のレンズ部組に加えた押圧力により複数のレンズ部組が外筒１１内に固定されているときに生じている外筒１１内の隙間に、自然長よりも縮んだ状態で置かれている。この点も、弾性部材１５と同様である。弾性部材４５は、第１のレンズ部組であるレンズ部組４３ｃと第２のレンズ部組であるレンズ部組４３ｄの間に、より詳細には、レンズ部組４３ｃとレンズ部組４３ｄの面Ｓ４２の間に、配置されている点が、弾性部材１５とは異なる。
【００５２】
以上のように構成された対物レンズ４０では、複数のレンズ部組は、押さえ環４４が外筒１１に螺合することで、押さえ環４４と外筒１１の間に狭持されるとともに、弾性部材４５によっても光軸方向に付勢される。これにより、複数のレンズ部組を外筒１１内にしっかりと固定することができる。従って、対物レンズ４０によれば、対物レンズ１０、対物レンズ２０、対物レンズ３０と同様に、衝撃や振動に強い耐性を有し、且つ、温度変化に強い耐性を実現し、安定して高い光学性能を発揮することができる。
【００５３】
また、対物レンズ４０では、弾性部材４５が押さえ環４４とは離れた位置に置かれている。このため、押さえ環４４を螺合するときに押さえ環４４とともに弾性部材４５が回転することがない。従って、対物レンズ３０と同様に、弾性部材４５が回転してレンズ部組などの他の部材が磨耗してしまうことを防ぐことができる。
【００５４】
上述した実施例は、発明の理解を容易にするための具体例を示したものであり、本発明の実施例はこれらに限定されるものではない。対物レンズは、特許請求の範囲の記載を逸脱しない範囲において、さまざまな変形、変更が可能である。例えば、対物レンズは、外筒を覆うカバーを備えてもよく、カバーには、対物レンズの仕様等が記載されてもよい。
【符号の説明】
【００５５】
１０、２０、３０、４０・・・対物レンズ、１１、３１・・・外筒、１１ａ、３１ａ・・・支持部、１１ｂ、３１ｂ・・・貫通穴、１１ｃ、１１ｄ、３１ｃ、３１ｄ・・・ねじ山、１２ａ、１２ｂ、１２ｃ、１２ｄ、１２ｅ、１２ｆ、４２ｃ、４２ｄ・・・レンズ保持枠、１３ａ、１３ｂ、１３ｃ、１３ｄ、１３ｅ、１３ｆ、４３ｃ、４３ｄ・・・レンズ部組、１４、３４、４４・・・押さえ環、１５、３５、４５・・・弾性部材、２７・・・スペーサ、ＡＸ・・・光軸、Ｌ１、Ｌ２、Ｌ３、Ｌ４、Ｌ５、Ｌ６・・・レンズ、Ｓ１１、Ｓ１２、Ｓ３１、Ｓ３２、Ｓ４１、Ｓ４２・・・面
【図１】
2019028412.tif 000003
【図２】
2019028412.tif 000004
【図３】
2019028412.tif 000005
【図４】
2019028412.tif 000006